(57)【要約】【課題】植物の保存に適していると共に植物を簡単に収容することができ、しかも搬送効率に優れており、さらには鑑賞用の植物の保存用としても適している植物包装体を提供すること。【解決手段】少なくとも一部が透明であるシート１１，１２からなる植物包装体１であって、前記シート１１，１２は、葉Ｈを間に挟んで重ね合わされた状態になっており、重ね合わされたシート１１，１２同士を接着することによって形成された空間に葉Ｈが収容されている植物包装体１である。【選択図】図１
0003146003.tif 000002
【実用新案登録請求の範囲】
【請求項１】
少なくとも一部が透明であるシートからなる植物包装体であって、前記シートは、被収容物である植物を間に挟んで重ね合わされた状態になっており、重ね合わされたシート同士を接着することによって形成された空間に前記植物が収容されていることを特徴とする植物包装体。
【請求項２】
前記植物が収容された前記空間は、脱気密封されていることを特徴とする請求項１に記載の植物包装体。
【請求項３】
前記植物を間に挟んだ状態で重ね合わされる前記シートは、一対のシート片からなるものであると共に、重ね合わされた一対のシート片同士を接着することによって前記空間が形成されており、前記一対のシート片のうちの少なくとも一方のシート片の一部又は全部が透明であることを特徴とする請求項２に記載の植物包装体。
【請求項４】
前記空間内に、当該空間に収容された前記植物の背景を構成する背景部材が収容されていることを特徴とする請求項１から請求項３のいずれか一項に記載された植物包装体。
【考案の詳細な説明】
【技術分野】
【０００１】
本発明は、植物の包装体に関するものであり、特に、搬送や観賞のために適した植物の包装体に関する。
【背景技術】
【０００２】
現在、野菜や生花などの様々な植物が流通しており、各地に搬送されている。これらの植物は、一般的には、ダンボール箱に梱包された状態で搬送されている。そして、ダンボール箱への梱包する方法としては、例えば、直接段ボール箱に収容する方法がある。
【０００３】
ただし、ダンボール箱に直接収容する方法は、必ずしも植物を長期保存する方法としては適していない。このようなことから、段ボール箱に直接収容するのではなく、ビニール袋に小分けした状態で梱包する方法や野菜や生花などの植物が収容された発泡スチロール製の容器を段ボール箱に収容する方法などが用いられている。これらの梱包方法は、植物の長期保存により適している。
【０００４】
また、少量の植物の梱包に用いられるビニール袋の具体例としては、例えば、封入ガスが封入された状態で密封される容器からなる植物包装体がある（特許文献１参照）。
この植物包装体は、透明部分を有する容器を用いるものであり、封入ガスは、植物のエチレン抑制ガスを含むものであり、容器を持った際に容器形状が保持される程度の内圧が生じるように封入ガスが封入されたものである。
【特許文献１】特開２００４−１１５０２２号公報
【考案の開示】
【考案が解決しようとする課題】
【０００５】
ところで、上記植物包装体を用いると、切花などの植物の鮮度を保持することとができるかもしれないが、容器を持った際に容器形状が保持される程度の内圧が生じるように封入ガスを封入する必要があるので、嵩張ってしまうという問題がある。嵩張ってしまうと、植物を搬送するために大きな容積が必要になるので、搬送効率が悪い。
【０００６】
また、封入ガスのガス漏れが生じないように注意する必要がある。従って、例えば、植物が収容された植物包装体をさらに段ボール箱などに収容して、植物包装体の容器に外力が直接作用しない状態にする必要がある。このようなことから、当該植物包装体は、比較的大量の植物を搬送する場合には用いやすいが、少量の植物を搬送する場合でも段ボール箱などの外箱が必要になるなど煩雑であることから、少量の植物を搬送する方法としては用いにくい。
【０００７】
本考案は、このような問題点に鑑みてなされたものであり、搬送される植物の保存に適していると共に植物を簡単に収容することができ、しかも搬送効率に優れており、さらには鑑賞用の植物の保存用としても適している植物包装体を提供することを課題とする。
【課題を解決するための手段】
【０００８】
前記のような課題は、本願の各請求項に記載された次のような考案により解決される。
すなわち、請求項１に記載された考案は、少なくとも一部が透明であるシートからなる植物包装体であって、前記シートは、被収容物である植物を間に挟んで重ね合わされた状態になっており、重ね合わされたシート同士を接着することによって形成された空間に前記植物が収容されていることを特徴とする植物包装体である。
【０００９】
請求項１に記載された考案である植物包装体は、前記のように、植物を所定空間内に収容した状態で包装するものであるので、植物を搬送するための容器として適していると共に、植物を保存するための容器として適している。また、当該植物包装体によれば、シート同士を接着することによって、簡単に植物を植物包装体内に収容することができる。しかも、当該植物包装体は、シートで挟んだ状態で植物を収容するものであり、嵩張ることがないので、搬送しやすく、また保存しやすい。つまり搬送性や保存性に優れる。さらに当該植物包装体は、一部又は全部が透明であり、しかも植物をシートで挟んだ状態のものであるので保形性を有している。従って、植物包装体をそのまま所定位置に立てかけたり、額に収めたりすることによって、収容された植物を鑑賞に適した状態にすることができる。つまり、本植物包装体は、鑑賞用の植物を保存する容器としても適している。
【００１０】
請求項２に記載された考案は、請求項１に記載の植物包装体であって、前記植物が収容された前記空間は、脱気密封されていることを特徴としている。
【００１１】
植物が収容された空間が脱気密封された状態になっている植物包装体は、植物の保存容器としてより適している。また、脱気密封されると、植物包装体の容積がより小さくなり、搬送性がより向上する。
【００１２】
請求項３に記載された考案は、請求項２に記載の植物包装体であって、前記植物を間に挟んだ状態で重ね合わされる前記シートは、一対のシート片からなるものであると共に、重ね合わされた一対のシート片同士を接着することによって前記空間が形成されており、前記一対のシート片のうちの少なくとも一方のシート片の一部又は全部が透明であることを特徴としている。
【００１３】
植物を間に挟んだ状態でシートを重ね合わせる構成としては、例えば一枚のシートを折り曲げて植物を挟む構成や、一対のシートの間に植物を挟んで重ね合わせる構成などがある。これらのうち、一対のシートを重ね合わせる構成であれば、重ね合わせるときにシートを折り曲げる作業が不要になるので、簡単に植物を挟むことができ、植物包装体を簡単に作ることができる。また、一対のシートを構成する一方のシートと他方のシートとして、それぞれ別々の素材を用いることができる。別々の素材を用いることができれば、それぞれ異なる機能を有するシートを用いることができ、より保存用、搬送用、あるいは観賞用に適した植物包装体を構成しやすくなる。例えば、一方のシートとして透明で薄いシートを用い、他方のシートとして形状維持性能に優れる厚みのあるシートを用いるといったことができる。
【００１４】
請求項４に記載された考案は、請求項１から請求項３のいずれか一項に記載された植物包装体であって、前記空間内に、当該空間に収容された前記植物の背景を構成する背景部材が収容されていることを特徴としている。
【００１５】
このような背景部材を空間内に収容すれば、植物の折曲がりなどを確実に防止でき、植物の保存機能が向上する。また、背景部材を収容することで、植物包装体の形状維持機能が向上する。さらに、背景部材を収容すると、植物鑑賞のために、植物包装体を立てかけるなどして、所望の位置に設置したときに、植物包装体が大きく湾曲するようなことが防止されるので、観賞用の植物を保存するための包装体として、より優れたものになる。
【考案の効果】
【００１６】
本考案に係る植物包装体は、前記のように、植物を所定空間内に収容した状態で包装するものであるので、植物を搬送するための容器として適していると共に、植物を保存するための容器として適している。また、当該植物包装体によれば、シート同士を接着することによって、簡単に植物を植物包装体内に収容することができる。しかも、当該植物包装体は、シートで挟んだ状態で植物を収容するものであり、嵩張ることがないので、搬送しやすく、また保存しやすい。つまり搬送性や保存性に優れる。さらに当該植物包装体は、一部又は全部が透明であり、しかも植物をシートで挟んだ状態のものであるので保形性を有している。従って、植物包装体をそのまま所定位置に立てかけたり、額に収めたりすることによって、収容された植物を鑑賞に適した状態にすることができる。つまり、本植物包装体は、鑑賞用の植物を保存する容器としても適している。
【００１７】
そして、植物が収容された空間が脱気密封された状態になっている植物包装体は、植物の保存容器としてより適している。また、脱気密封されると、植物包装体の容積がより小さくなり、搬送性がより向上する。
【００１８】
また、植物を間に挟んだ状態でシートを重ね合わせる構成としては、例えば一枚のシートを折り曲げて植物を挟む構成や、一対のシートの間に植物を挟んで重ね合わせる構成などがある。これらのうち、一対のシートを重ね合わせる構成であれば、重ね合わせるときにシートを折り曲げる作業が不要になるので、簡単に植物を挟むことができ、植物包装体を簡単に作ることができる。また、一対のシートを構成する一方のシートと他方のシートとして、それぞれ別々の素材を用いることができる。別々の素材を用いることができれば、それぞれ異なる機能を有するシートを用いることができ、より保存用、搬送用、あるいは観賞用に適した植物包装体を構成しやすくなる。例えば、一方のシートとして透明で薄いシートを用い、他方のシートとして形状維持性能に優れる厚みのあるシートを用いるといったことができる。
【００１９】
さらに、背景部材を空間内に収容すれば、植物の折曲がりなどを確実に防止でき、植物の保存機能が向上する。また、背景部材を収容することで、植物包装体の形状維持機能が向上する。さらに、背景部材を収容すると、植物鑑賞のために、植物包装体を立てかけるなどして、所望の位置に設置したときに、植物包装体が大きく湾曲するようなことが防止されるので、観賞用の植物を保存するための包装体として、より優れたものになる。
【考案を実施するための最良の形態】
【００２０】
本考案の実施形態に係る植物包装体は、少なくとも一部が透明であるシートからなる植物包装体であって、前記シートは、被収容物である植物を間に挟んで重ね合わされた状態になっており、重ね合わされたシート同士を接着することによって形成された空間に前記植物が収容されていることを特徴とする植物包装体である。
【００２１】
そして、前記植物が収容された前記空間は、脱気密封されているものとする。
【００２２】
また、前記植物を間に挟んだ状態で重ね合わされる前記シートは、一対のシート片からなるものであると共に、重ね合わされた一対のシート片同士を接着することによって前記空間が形成されており、前記一対のシート片のうちの少なくとも一方のシート片の一部又は全部が透明であるものとする。
【００２３】
また、前記空間内に、当該空間に収容された前記植物の背景を構成する背景部材が収容されているものとする。
【実施例】
【００２４】
次に、本考案に係る実施形態の植物包装体について、図面を参照しつつ、詳細に説明する。
【００２５】
本実施形態の植物包装体１は、図１に示されるようなものである。ここでは、まず、図２に基づいて、本実施形態の植物包装体１を説明する。
【００２６】
図２に示されるように、植物包装体１は、一対のシート10の一方である第１シート11と、他方のシートである第２シート12とを備えている。両シート11,12は透明のシートである。また、両シート11,12はポリエチレン製であり、高周波による溶着が可能なものである。
【００２７】
このようなシートを用いて植物包装体１を作る場合は、まず、図２に示されるように、両シート11,12を対向する位置に配置し、両シート11,12の間に、被収容物である植物を配置させた状態にする。ここでは、被収容物である植物が木の葉Ｈである場合について説明する。
【００２８】
次に、両シート11,12を重ね合わせて両シート11,12によって葉Ｈを挟み、この状態で両シート同士を接着する。ここでは、まず、葉Ｈを包囲する四辺a,b,c,d（図１参照）のうちの三辺a,b,cについて、両シート同士を接着する。そして、その後、三辺a,b,cの接着部分によって取り囲まれた領域から空気を出し、空気を出した状態を維持しつつ、残る一辺dを接着する。これにより両シート11,12に包囲された状態で、両シート11,12の間に隙間状の空間が形成され、形成された空間内に葉Ｈを収容し、保存することができる。また、この方法を用いれば、簡単に、葉Ｈが収容される空間内を脱気しつつ密閉することができる。
【００２９】
なお、両シート11,12を接着するときは、両シート11,12で包囲される空間内に葉Ｈを脱気密封できるように、空間内から空気を抜きとることが好ましい。これにより、葉Ｈが空気に触れる機会を少くすることができ、空間が葉Ｈの長期保存により適した状態になる。
【００３０】
両シート11,12を接着する方法としては、種々の方法が考えられるが、本実施例では、高周波によって融着する方法を用いて、両シート11,12を接着した。この方法を用いれば、短時間で簡単に両シート11,12を接着することができる。
【００３１】
このようにして作製された植物包装体１は、各種の方法で搬送することができる。例えば、本実施例の植物包装体１は、薄いものであり、嵩張らないので、図３に示されるように、封筒Ｆによる郵送が可能である。郵送を用いることができれば、少量の場合でも、簡単に送ることができるので、輸送効率に優れる。
【００３２】
植物包装体１に収容された植物である葉Ｈは、種々の方法で利用することが可能である。
【００３３】
例えば、植物包装体１は、植物の保存性能に優れているので、植物包装体１を開いて取り出した葉Ｈは、料理やお菓子に添えるものとして用いることができる。これにより、食卓に彩りを添え、季節感を出すことができる。また、植物包装体１は、保存性能のみならず形状維持性能にも優れるので、植物包装体１によって搬送された葉Ｈなどの植物についても、形くずれの無い状態で新鮮さが保持され、料理やお菓子に添えるものとして好適に使用することができる。
【００３４】
なお、植物包装体１から取り出した葉Ｈなどの植物は、このように料理やお菓子に添えるものとしてだけでなく、食用の植物の場合は食用として、その他、多種多様な用途で用いることが可能なものである。
【００３５】
また、本実施例の植物包装体１は、観賞用の包装体としても優れている。例えば、図４に示されるように、テーブルＴの上に設置された写真立てに立てかけるように、葉Ｈが収容された植物包装体１を配置して、収容された葉Ｈを鑑賞用に供することができる。つまり、包装体に収容したままの葉を観賞用に供することができる。包装体を開封しなくてよいので、脱気密封されて長期保存可能な状態のまま、観賞用に供することができ、長期間植物を観賞することが可能である。
【００３６】
本実施例の植物包装体１は、種々の植物用の包装体として用いることができるものであるが、特に、葉などの薄の植物の包装体として適しているということができる。
【００３７】
例えば、落葉樹、常緑樹、羊歯（しだ）類植物、蔦植物、マメ科植物、バラ科植物などの植物、そして、これらの植物の一部である葉や花などの搬送に特に適している。
【００３８】
なお、本願の考案は、以上の実施例に限定されるものではなく、その要旨を逸脱しない範囲において、種々の変形が可能である。
【００３９】
例えば、台紙などの板材を入れることができる。この板材は、包装体内に収容された植物の背景部材として機能するのみならず、植物包装体１の形状を維持するための部材としても機能する。
【図面の簡単な説明】
【００４０】
【図１】本考案の実施形態の植物包装体を示す斜視図である。
【図２】図１に示された植物包装体の形成前の状態を示す分解斜視図である。
【図３】図１に示される植物包装体を封筒に封入している状態を示す斜視図である。
【図４】図１に示される植物包装体を鑑賞のために立てかけた状態を示す斜視図である。
【符号の説明】
【００４１】
１  植物包装体
１０  一対のシート片
１１  第１シート（一方のシート片）
１２  第２シート（他方のシート片）
Ｆ  封筒
Ｈ  葉
Ｔ  テーブル
【図１】
0003146003.tif 000003
【図２】
0003146003.tif 000004
【図３】
0003146003.tif 000005
【図４】
0003146003.tif 000006